(57)【要約】【課題】従来のチップ収納ケース方式のチップ供給装置は、チップ供給の高速化、高能率化が困難な課題があり、特に、チップ型式の異なる型式へ「切替・変更」する場合、熟練作業者による多大の手数を要しコスト負担が大きい課題が有った。【解決手段】多数のチップｔをバラの状態で収納したチップ収納ケース１と、該チップ収納ケース１から供給するチップｔを振動で１列整列搬送するチップ整列搬送フィーダ２を、両者一体に組合せ構成して１個の独立したチップ供給アタッチメントＡとしたこと、及び、該チップ供給アタッチメントＡに振動を付与する振動機構３をチップマウンター装置等に別設して、該振動機構３に対してチップ供給アタッチメントＡを着脱交換自在に備えた、チップ供給アタッチメントＡによって課題を解決した。【選択図】図１
2008060190.tif 000002
【特許請求の範囲】
【請求項１】
多数のチップをバラの状態で収納するように備えたチップ収納ケースと、該チップ収納ケースから供給されるチップを振動で１列整列搬送するように備えたチップ整列搬送フィーダを、両者一体に組合せ構成して、１個の独立したチップ供給アタッチメントとして備えたものであり、
該チップ供給アタッチメントのチップ整列搬送フィーダに振動を付与する振動機構をチップマウンター装置等に別設して、
該振動機構に対してチップ供給アタッチメントを着脱交換自在に備えたものである、
チップ供給アタッチメント。
【請求項２】
多数のチップをバラの状態で収納するように備えたチップ収納ケースと、該チップ収納ケースから供給されるチップを振動で１列整列搬送するように備えたチップ整列搬送フィーダと、チップ整列搬送フィーダで１列整列搬送されて来たチップを、先端部で行止り停止すると共に１個露出し、該露出したチップを吸着ノズルの吸着等の分離手段で、１個宛分離するように備えたチップ１個分離シュートを、３者一体に組合せ構成して、１個の独立したチップ供給アタッチメントとして備えたものであり、
該チップ供給アタッチメントのチップ整列搬送フィーダに振動を付与する振動機構をチップマウンター装置等に別設して、
該振動機構に対してチップ供給アタッチメントを着脱交換自在に備えたものである、
チップ供給アタッチメント。
【請求項３】
チップ収納ケース、チップ整列搬送フィーダ、若しくは、チップ１個分離シュートを、一体に組合せ構成したチップ供給アタッチメントであり、該チップ供給アタッチメントをチップマウンター装置等に別設した振動機構に対し、ねじ等により着脱交換自在に備えたものである、
請求項１又は２のチップ供給アタッチメント。
【請求項４】
チップ供給アタッチメントにおけるチップ収納ケースは、チップ整列搬送フィーダに対し直接に、若しくは、ホッパーを介して、着脱交換自在に備えたものである、
請求項１又は２のチップ供給アタッチメント。
【請求項５】
チップ供給アタッチメントにおけるチップ整列搬送フィーダは、チップ収納ケースから直接に、若しくは、ホッパーを介して、バラの状態で供給されるチップを、別設の振動機構による振動で一定方向に搬送し、その搬送の過程でチップを１列搬送路に導入し１列整列搬送して、チップを次工程へ供給するように備えたものである、
請求項１又は２のチップ供給アタッチメント。
【請求項６】
チップ供給アタッチメントにおけるチップ１個分離シュートは、チップ整列搬送フィーダのチップ１列整列搬送路の先端に連続して１列整列搬送路を備え、その先端に停止部を備えると共に、該部にチップ１個を露出する露出窓を備えて、該露出窓からチップを、吸着ノズルの吸着等の分離手段で、１個宛分離するように備えたものである、
請求項２のチップ供給アタッチメント。
【請求項７】
チップの型式（種類、形状、寸法等）の異なる毎に、各型式（種類、形状、寸法等）用のチップ供給アタッチメントを備えておき、チップマウンター装置等における目的型式（種類、形状、寸法等）のチップ分離供給用への切替えを、目的型式（種類、形状、寸法等）用のチップ供給アタッチメントの振動機構に対する着脱交換によって行うように備えたものである、
請求項１又は２のチップ供給アタッチメント。
【発明の詳細な説明】
【技術分野】
【０００１】
本発明は、チップ(各種チップ型電子部品、例・チップコンデンサー、レジスター等、例・０４０２C/０６０３C/１００５C等の各型式チップ、以下、単にチップと記す。)を供給する工程、例えば、チップマウンター装置等によりプリント基板等にチップを１個毎に分離してマウント（実装）する工程、チップ分離搬送ローターやチップテープへチップを１列整列搬送供給する工程、等において、  チップ収納ケース（数千個から数万個のチップをバラの状態で収納）のチップを、高速かつ効率的に１列整列して、若しくは、１個宛分離して供給するための有効な手段を提供するものである。
【背景技術】
【０００２】
従来のチップ供給装置（チップ収納ケース方式）によってチップを高速かつ効率的に整列してマウンター（実装）等の工程で１列整列して供給し、若しくは、１個宛分離して供給する工程や、チップ分離搬送ローターやチップテープへチップを１列整列搬送供給する工程等は、例えば、エアー搬送方式（例、特開平５−１９３７２５号）やベルト搬送方式（例、特開平１０−２９４５９８号）を用いていたため、チップの１個宛分離供給の高速化、高能率化、低コスト化が困難な課題があった。
【０００３】
特に、従来は、チップ整列搬送フィーダ機構（チップ整列搬送フィーダに振動機構の振動を付与してチップを整列搬送する。通常、チップ収納ケースはチップ整列搬送フィーダに着脱交換自在に設けられている。）が各種装置の一部材として組み込まれた複雑かつ極めて精密性を要する機構であったため、該チップ整列搬送フィーダ機構を、例えば、使用中の型式（例・０４０２C）と異なる型式（例・１００５C）のチップの分離供給用に「切替・変更」するためには、各機構部材の取外し交換と精密調整等に熟練作業者による多大の時間・手数を要し極めて非効率なためコスト負担が大きく、よって、チップ型式（種類、形状、寸法等）の切替・変更に容易に対応し難い大きな課題が有った。
【特許文献１】特開平５−１９３７２５号
【特許文献２】特開平１０−１７５７２４号
【特許文献３】特開平１０−２９４５９８号
【発明の開示】
【発明が解決しようとする課題】
【０００４】
本発明は、チップ収納ケース（数千個から数万個のチップをバラの状態で収納）のチップを、高速かつ効率的に、１列整列供給し、若しくは、１個宛分離供給するための有効な手段を提供し、
【０００５】
特に、チップ収納ケース、チップ整列搬送フィーダの２者、若しくは、チップ１個分離シュートを加えた３者を、１個の独立したチップ供給アタッチメントとして備え、
また、チップ供給アタッチメントのチップ整列搬送フィーダと、それに振動を付与してチップを搬送する振動機構とを別設構成にすると共に、該チップ供給アタッチメントを該振動機構に対し着脱交換自在に備え、
【０００６】
一方、予め、型式（種類、形状、寸法等）の異なるチップ分離供給用の複数種のチップ供給アタッチメントを用意して、チップマウンター装置等における各型式（種類、形状、寸法等）のチップ分離供給用への「切替・変更」を、極めて簡単かつ迅速に行えるようにして、
チップの１列整列供給、若しくは、１個宛分離供給等の高速化、高能率化、低コスト化を実現することによって、従来の課題を解決せんとするものである。
【課題を解決するための手段】
【０００７】
即ち、本発明は、多数のチップをバラの状態で収納するように備えたチップ収納ケースと、該チップ収納ケースから供給されるチップを振動で１列整列搬送するように備えたチップ整列搬送フィーダを、両者一体に組合せ構成して、１個の独立したチップ供給アタッチメントとして備えたものであり、
【０００８】
該チップ供給アタッチメントのチップ整列搬送フィーダに振動を付与する振動機構をチップマウンター装置等に別設して、
【０００９】
該振動機構に対してチップ供給アタッチメントを着脱交換自在に備えたものである、チップ供給アタッチメントによって、課題を解決したものである。
【００１０】
また、本発明は、多数のチップをバラの状態で収納するように備えたチップ収納ケースと、該チップ収納ケースから供給されるチップを振動で１列整列搬送するように備えたチップ整列搬送フィーダと、チップ整列搬送フィーダで１列整列搬送されて来たチップを、先端部で行止り停止すると共に１個露出し、該露出したチップを吸着ノズルの吸着等の分離手段で、１個宛分離するように備えたチップ１個分離シュートを、３者一体に組合せ構成して、１個の独立したチップ供給アタッチメントとして備えたものであり、
【００１１】
該チップ供給アタッチメントのチップ整列搬送フィーダに振動を付与する振動機構をチップマウンター装置等に別設して、
【００１２】
該振動機構に対してチップ供給アタッチメントを着脱交換自在に備えたものである、チップ供給アタッチメントによって、課題を解決したものである。
【発明の効果】
【００１３】
チップ収納ケース、チップ整列搬送フィーダ、若しくは、チップ１個分離シュートの２者若しくは３者を１個の独立したチップ供給アタッチメントとして備え、該チップ供給アタッチメントをチップマウンター装置等側に別設した振動機構（即ち、チップ整列搬送フィーダに振動を付与する機構）に対し着脱交換自在に備える一方、
予め、型式（種類、形状、寸法等）の異なるチップ分離供給用の複数種のチップ供給アタッチメントを予め製造・用意・供給等するようにしたので、
【００１４】
チップマウンター装置等における各目的型式（種類、形状、寸法等）のチップの分離供給用への「切替・変更」を、極めて簡単かつ迅速に行うことが可能となり、
よって、既存の方式に代わる全く新規なワーク供給方式形態を提供して、チップの１列整列供給、若しくは、１個宛分離供給の高速化、高能率化、低コスト化を実現することできる画期的な効果がある。
【発明を実施するための最良の形態】
【００１５】
チップ収納ケース１、チップ整列搬送フィーダを両者一体に組合せ構成して１個の独立したアタッチメントとしてチップ供給アタッチメントを設け、該チップ供給アタッチメントのチップ整列搬送フィーダに振動を付与する振動機構をチップマウンター装置等に別設して、該振動機構に対してチップ供給アタッチメントを着脱交換自在に備えたものである、チップ供給アタッチメント。
【実施例１】
【００１６】
次に、本発明の実施例を説明すると（図１、図２参照）、
【００１７】
多数のチップｔをバラの状態で収納するように備えたチップ収納ケース１と、該チップ収納ケース１から供給されるチップｔを振動で１列整列搬送するように備えたチップ整列搬送フィーダ２を、両者一体に組合せ構成して、１個の独立したチップ供給アタッチメントＡとして備えたものであり、
【００１８】
該チップ供給アタッチメントＡのチップ整列搬送フィーダ２に振動を付与する振動機構３をチップマウンター装置６等に別設して、
【００１９】
該振動機構３に対してチップ供給アタッチメントＡ(チップ整列搬送フィーダ２)を着脱交換自在に備えたものである、
チップ供給アタッチメントＡである。
【００２０】
即ち、本発明においては、通常はチップ整列搬送フィーダと振動機構が不可分一体に構成されているチップ整列搬送フィーダにおいて、そのチップ整列搬送フィーダと振動機構を分離構成して、振動機構をチップマウンター装置等に別設し、該振動機構に対しチップ供給アタッチメント(チップ整列搬送フィーダ)を着脱交換自在に構成したものである。
【００２１】
チップ収納ケース１は、チップ整列搬送フィーダ２に対し、直接に、若しくは、ホッパー９を介して、着脱交換自在に備えたものであり、チップ整列搬送フィーダ２の一定方向振動搬送部の一部に複数個のチップｔをバラの状態で供給するように備えたものである。
【００２２】
チップ整列搬送フィーダ２は、チップ収納ケース１から直接に、若しくは、ホッパ９ーを介して、バラの状態で供給されるチップｔを、チップマウンター装置６等に別設した振動機構３による振動で一定方向に搬送し、その搬送の過程でチップを１列搬送路１０に導入して、１列整列搬送するように備えたものである。(図２を参照)
【００２３】
また、チップ供給アタッチメントＡを、チップマウンター装置６等側に備えた振動機構３に対し、ねじ８等により着脱交換自在に備えたものである。
【００２４】
而して、チップｔの型式（例・０４０２C/０６０３C/１００５C等）の異なる毎に、各型式（例・０４０２C/０６０３C/１００５C等）用のチップ供給アタッチメントＡを備えておき、例えば、チップマウンター装置６等における使用中の型式（例・０４０２C）から目的型式（例・１００５C）への切替・変更を、各チップ供給アタッチメントＡの振動機構３に対する着脱交換によって行うように備えたものである。
【実施例２】
【００２５】
また、本発明の実施例２を説明すると (図３〜図５参照)、
【００２６】
多数のチップｔをバラの状態で収納するように備えたチップ収納ケース１と、該チップ収納ケース１から供給されるチップｔを振動で１列整列搬送するように備えたチップ整列搬送フィーダ２と、チップ整列搬送フィーダ２で１列整列搬送されて来たチップｔを、先端部で行止り停止すると共に１個露出し、該露出したチップｔを吸着ノズル４の吸着等の分離手段で、１個宛分離するように備えたチップ１個分離シュート５を、３者一体に組合せ構成して、１個の独立したチップ供給アタッチメントＡとして備えたものであり、
【００２７】
該チップ供給アタッチメントＡのチップ整列搬送フィーダ２に振動を付与する振動機構３をチップマウンター装置６等に別設して、
【００２８】
該振動機構３に対してチップ供給アタッチメントＡ(チップ整列搬送フィーダ２)を着脱交換自在に備えたものである、チップ供給アタッチメントＡである。
【００２９】
チップ１個分離シュート５は、チップ整列搬送フィーダ２のチップ１列整列搬送路１０の先端に連続して１列整列搬送路１１を備え、その先端に停止部１２を備えると共に、該部１２にチップｔ１個を露出する露出窓７を備えて、
【００３０】
チップ整列搬送フィーダ２のチップ１列整列搬送路１０から１列整列搬送路１１へ、押せ押せの状態で、搬送されてきたチップｔの停止部１２(露出窓７の位置)に行止まり停止した先頭のチップｔ１個を、露出窓７から、チップマウンター装置６等の吸着ノズル４の吸着等の分離手段で、１個宛分離するように備えたものである。
【００３１】
よって、先頭のチップｔを吸着ノズル４等で分離すると、直ちに、次位のチップｔが停止部１２(露出窓７の位置)に行止まり停止する。
【産業上の利用可能性】
【００３２】
本発明は、上記例のチップマウンター装置用のチップ供給アタッチメントに限定されることなく、ローター等のチップ分離搬送供給用装置、チップテーピング用のチップ分離搬送供給装置、その他のチップ関係装置における各種型式（種類、形状、寸法等）のチップの１列整列供給、１個分離供給用のチップ供給アタッチメントとして汎用し得るものである。
【図面の簡単な説明】
【００３３】
【図１】実施例１の斜視図で、チップマウンター装置側に別設した振動機構に着脱交換自在に取付ける説明図。
【図２】チップ整列搬送フィーダのチップ１列整列搬送供給の作用説明図。
【図３】実施例２の斜視図で、チップマウンター装置側に別設した振動機構に着脱交換自在に取付ける説明図。
【図４】図３のチップ１個分離シュート部分の拡大斜視図で、吸着ノズルでチップ１個を分離する説明図。
【図５】チップマウンター装置に、複数の実施例２を列置した状態の斜視図。
【符号の説明】
【００３４】
Ａ    本発明の実施例チップ供給アタッチメント
ｔ    チップ
１    チップ収納ケース
２    チップ整列搬送フィーダ
３    振動機構
４    吸着ノズル
５    チップ１個分離シュート
６    チップマウンター装置
７    露出窓
８    ねじ
９    ホッパー
１０  １列搬送路(チップ整列搬送フィーダ)
１１  １列搬送路(チップ１個分離シュート)
１２  停止部
【図１】
2008060190.tif 000003
【図２】
2008060190.tif 000004
【図３】
2008060190.tif 000005
【図４】
2008060190.tif 000006
【図５】
2008060190.tif 000007